【手続補正書】
【提出日】平成30年9月14日(2018.9.14)
【手続補正１】
【補正対象書類名】特許請求の範囲
【補正対象項目名】全文
【補正方法】変更
【補正の内容】
【特許請求の範囲】
【請求項１】
遊技者による発射操作に基づいて、遊技領域に向けて遊技球を発射する発射手段と、
前記遊技領域に配置され、前記遊技球が入球可能な第１始動入球部と、
前記遊技領域に配置され、前記遊技球が入球可能であり、前記遊技球の流下方向において、前記第１始動入球部よりも下流側に位置する第２始動入球部と、
前記第１始動入球部に前記遊技球が入球したことに基づいて第１特別情報を取得すると共に、前記第２始動入球部に前記遊技球が入球したことに基づいて第２特別情報を取得する情報取得手段と、
取得した前記第１特別情報、および前記第２特別情報が付与情報における当否情報群に対応しているか否かの付与判定を実行する付与判定手段と、
前記付与判定手段による付与判定の結果が、判定対象の前記第１特別情報、または前記第２特別情報が前記当否情報群に対応しているとする付与対応結果となると遊技者に特典遊技を付与する特典付与手段と、を備え、
前記付与判定手段は、前記第１特別情報の前記付与判定を前記第２特別情報の前記付与判定よりも優先して実行可能であり、
前記第１特別情報が前記付与対応結果である場合のほうが、前記第２特別情報が前記付与対応結果である場合よりも、前記特典付与手段により遊技者に有利な前記特典遊技が付与され易い遊技機において、
前記第１特別情報に対する前記付与判定を第１抽選遊技とし、前記第２特別情報に対する前記付与判定を第２抽選遊技とすると、
前記第１抽選遊技の判定結果を第１報知として実行し、前記第２抽選遊技の判定結果を第２報知として実行する報知手段と、
前記第１報知の報知時間および前記第２報知の報知時間を選択する報知時間選択手段と、を有し、
前記付与判定手段は、前記第１報知または前記第２報知が実行されている場合には、実行されている前記第１報知または前記第２報知が終了した後、前記第１抽選遊技または前記第２抽選遊技を実行し、
前記報知時間選択手段は、前記第１報知の報知時間として、前記第２報知が実行され難くなる時間を選択することを特徴とする遊技機。
【請求項２】
前記第１始動入球部は、通常第１始動入球部と、前記第２始動入球部より前記流下方向における上流側に配置される特別第１始動入球部と、を有し、
遊技状態のうち、所定の基準タイミングから所定の終了タイミングまでを第１遊技状態とし、前記第１遊技状態でない場合を第２遊技状態とすると、
前記通常第１始動入球部、前記特別第１始動入球部、および前記第２始動入球部は、前記第１遊技状態である場合、前記特別第１始動入球部および前記第２始動入球部に前記通常第１始動入球部より前記遊技球が入球し易くなり、かつ前記特別第１始動入球部に前記第２始動入球部より前記遊技球が入球し易くなるように配置され、前記第２遊技状態である場合、前記通常第１始動入球部に前記特別第１始動入球部および前記第２始動入球部より前記遊技球が入球し易くなるように配置され、
前記報知時間選択手段は、前記第１報知の報知時間として、前記第１遊技状態の方が前記第２遊技状態より長い時間を選択することがあることを特徴とする請求項１記載の遊技機。
【手続補正２】
【補正対象書類名】明細書
【補正対象項目名】０００２
【補正方法】変更
【補正の内容】
【０００２】
従来より、例えば、パチンコ遊技機等の遊技機においては、遊技領域に設けられた始動口に遊技球が入球したことを契機として、当たり遊技状態等の特典遊技状態に移行させるか否かの抽選が行われる。
【手続補正３】
【補正対象書類名】明細書
【補正対象項目名】０００３
【補正方法】削除
【補正の内容】
【手続補正４】
【補正対象書類名】明細書
【補正対象項目名】０００７
【補正方法】変更
【補正の内容】
【０００７】
上記目的を達成するための請求項１に記載の遊技機は、遊技者による発射操作に基づいて、遊技領域に向けて遊技球を発射する発射手段と、前記遊技領域に配置され、前記遊技球が入球可能な第１始動入球部と、前記遊技領域に配置され、前記遊技球が入球可能であり、前記遊技球の流下方向において、前記第１始動入球部よりも下流側に位置する第２始動入球部と、前記第１始動入球部に前記遊技球が入球したことに基づいて第１特別情報を取得すると共に、前記第２始動入球部に前記遊技球が入球したことに基づいて第２特別情報を取得する情報取得手段と、取得した前記第１特別情報、および前記第２特別情報が付与情報における当否情報群に対応しているか否かの付与判定を実行する付与判定手段と、前記付与判定手段による付与判定の結果が、判定対象の前記第１特別情報、または前記第２特別情報が前記当否情報群に対応しているとする付与対応結果となると遊技者に特典遊技を付与する特典付与手段と、を備え、前記付与判定手段は、前記第１特別情報の前記付与判定を前記第２特別情報の前記付与判定よりも優先して実行可能であり、前記第１特別情報が前記付与対応結果である場合のほうが、前記第２特別情報が前記付与対応結果である場合よりも、前記特典付与手段により遊技者に有利な前記特典遊技が付与され易いものであり、前記第１特別情報に対する前記付与判定を第１抽選遊技とし、前記第２特別情報に対する前記付与判定を第２抽選遊技とすると、前記第１抽選遊技の判定結果を第１報知として実行し、前記第２抽選遊技の判定結果を第２報知として実行する報知手段と、前記第１報知の報知時間および前記第２報知の報知時間を選択する報知時間選択手段と、を有し、前記付与判定手段は、前記第１報知または前記第２報知が実行されている場合には、実行されている前記第１報知または前記第２報知が終了した後、前記第１抽選遊技または前記第２抽選遊技を実行し、前記報知時間選択手段は、前記第１報知の報知時間として、前記第２報知が実行され難くなる時間を選択する。
請求項２記載の遊技機は、請求項１記載の遊技機において、前記第１始動入球部は、通常第１始動入球部と、前記第２始動入球部より前記流下方向における上流側に配置される特別第１始動入球部と、を有し、遊技状態のうち、所定の基準タイミングから所定の終了タイミングまでを第１遊技状態とし、前記第１遊技状態でない場合を第２遊技状態とすると、前記通常第１始動入球部、前記特別第１始動入球部、および前記第２始動入球部は、前記第１遊技状態である場合、前記特別第１始動入球部および前記第２始動入球部に前記通常第１始動入球部より前記遊技球が入球し易くなり、かつ前記特別第１始動入球部に前記第２始動入球部より前記遊技球が入球し易くなるように配置され、前記第２遊技状態である場合、前記通常第１始動入球部に前記特別第１始動入球部および前記第２始動入球部より前記遊技球が入球し易くなるように配置され、前記報知時間選択手段は、前記第１報知の報知時間として、前記第１遊技状態の方が前記第２遊技状態より長い時間を選択することがある。
【手続補正５】
【補正対象書類名】明細書
【補正対象項目名】０００８
【補正方法】変更
【補正の内容】
【０００８】
請求項１記載の遊技機によれば、遊技者による発射操作に基づいて、遊技領域に向けて遊技球を発射する発射手段と、前記遊技領域に配置され、前記遊技球が入球可能な第１始動入球部と、前記遊技領域に配置され、前記遊技球が入球可能であり、前記遊技球の流下方向において、前記第１始動入球部よりも下流側に位置する第２始動入球部と、前記第１始動入球部に前記遊技球が入球したことに基づいて第１特別情報を取得すると共に、前記第２始動入球部に前記遊技球が入球したことに基づいて第２特別情報を取得する情報取得手段と、取得した前記第１特別情報、および前記第２特別情報が付与情報における当否情報群に対応しているか否かの付与判定を実行する付与判定手段と、前記付与判定手段による付与判定の結果が、判定対象の前記第１特別情報、または前記第２特別情報が前記当否情報群に対応しているとする付与対応結果となると遊技者に特典遊技を付与する特典付与手段と、を備え、前記付与判定手段は、前記第１特別情報の前記付与判定を前記第２特別情報の前記付与判定よりも優先して実行可能であり、前記第１特別情報が前記付与対応結果である場合のほうが、前記第２特別情報が前記付与対応結果である場合よりも、前記特典付与手段により遊技者に有利な前記特典遊技が付与され易いものであり、前記第１特別情報に対する前記付与判定を第１抽選遊技とし、前記第２特別情報に対する前記付与判定を第２抽選遊技とすると、前記第１抽選遊技の判定結果を第１報知として実行し、前記第２抽選遊技の判定結果を第２報知として実行する報知手段と、前記第１報知の報知時間および前記第２報知の報知時間を選択する報知時間選択手段と、を有し、前記付与判定手段は、前記第１報知または前記第２報知が実行されている場合には、実行されている前記第１報知または前記第２報知が終了した後、前記第１抽選遊技または前記第２抽選遊技を実行し、前記報知時間選択手段は、前記第１報知の報知時間として、前記第２報知が実行され難くなる時間を選択する。これにより、遊技者の遊技への関心を向上させることができるという効果がある。
請求項２記載の遊技機によれば、請求項１記載の遊技機の奏する効果に加え、次の効果を奏するものである。即ち、前記第１始動入球部は、通常第１始動入球部と、前記第２始動入球部より前記流下方向における上流側に配置される特別第１始動入球部と、を有し、遊技状態のうち、所定の基準タイミングから所定の終了タイミングまでを第１遊技状態とし、前記第１遊技状態でない場合を第２遊技状態とすると、前記通常第１始動入球部、前記特別第１始動入球部、および前記第２始動入球部は、前記第１遊技状態である場合、前記特別第１始動入球部および前記第２始動入球部に前記通常第１始動入球部より前記遊技球が入球し易くなり、かつ前記特別第１始動入球部に前記第２始動入球部より前記遊技球が入球し易くなるように配置され、前記第２遊技状態である場合、前記通常第１始動入球部に前記特別第１始動入球部および前記第２始動入球部より前記遊技球が入球し易くなるように配置され、前記報知時間選択手段は、前記第１報知の報知時間として、前記第１遊技状態の方が前記第２遊技状態より長い時間を選択することがある。これにより、遊技者の遊技への関心を向上させることができるという効果がある。
【手続補正６】
【補正対象書類名】明細書
【補正対象項目名】１０４１
【補正方法】変更
【補正の内容】
【１０４１】
特徴Ｃ１２によれば、特定対応結果となる第２特別情報が付与判定される前に、特定対応結果が確定する前と異なる遊技状態に移行することがあることを告知、または示唆している。つまり、特定対応結果が確定する前と異なる遊技状態に移行することがあることを先報知している。このため、特に特徴Ｃ３の構成を備える場合には、有利第１遊技状態に移行することが告知、または示唆された場合には、遊技者は、有利第１遊技状態に移行する第２報知が開始される前に遊技球の発射を停止することにより、特定対応結果となる第２報知中に第１抽選遊技が実行され難くできる。つまり、特定対応結果となる第２報知が終了（消滅）してしまうことを抑制できる。このため、遊技者にとって有利な遊技状態に移行する機会が消滅し難くなり、遊技者の遊技への関心を向上できる。
＜その他＞
従来より、例えば、パチンコ遊技機等の遊技機においては、遊技領域に設けられた始動口に遊技球が入球したことを契機として、当たり遊技状態等の特典遊技状態に移行させるか否かの抽選が行われる。また、例えば、遊技領域に設けられた表示装置では、上記抽選が行われたことに基づいて絵柄の変動表示が開始され、当該変動表示の最終的な停止表示に際して上記抽選結果に応じた停止結果が表示されるという１遊技回分の表示演出が実行される。そして、抽選結果が特典遊技状態への移行に当選するものである場合には、１遊技回分の表示演出が実行された後等において、例えば、遊技領域に設けられた可変入球装置の開閉が実行され、可変入球装置への入球数に応じた遊技球の払出が実行される。
また、このような遊技機においては、遊技領域に第１始動口および第２始動口という異なる始動口を設け、第１始動口または第２始動口に遊技球が入球したことを契機として、特典遊技状態に移行させるか否かの抽選を行うものも提案されている（例えば、特許文献１：特開２００４−４１５４７号公報）。
ところで、このような遊技機では、遊技者の遊技への関心をさらに向上させることが望まれている。
本技術的思想は上記点に鑑み、遊技者の遊技への関心を向上させることができる遊技機を提供することを目的とする。
＜手段＞
上記目的を達成するための技術的思想１の遊技機は、遊技者による発射操作に基づいて、遊技領域に向けて遊技球を発射する発射手段と、遊技領域に配置され、遊技球が入球可能な第１始動入球部と、遊技領域に配置され、遊技球が入球可能であり、遊技球の流下方向において、第１始動入球部よりも下流側に位置する第２始動入球部と、第１始動入球部に遊技球が入球したことに基づいて第１特別情報を取得すると共に、第２始動入球部に遊技球が入球したことに基づいて第２特別情報を取得する情報取得手段と、取得した第１特別情報、および第２特別情報が付与情報における当否情報群に対応しているか否かの付与判定を実行する付与判定手段と、付与判定手段による付与判定の結果が、判定対象の第１特別情報、または第２特別情報が当否情報群に対応しているとする付与対応結果となると遊技者に特典遊技を付与する特典付与手段と、を備え、付与判定手段は、第１特別情報の付与判定を第２特別情報の付与判定よりも先に実行し、特典付与手段は、第１特別情報が付与対応結果である場合、第２特別情報が付与対応結果である場合より、遊技者に有利な特典遊技を付与し易い遊技機において、第１特別情報に対する付与判定を第１抽選遊技とし、第２特別情報に対する付与判定を第２抽選遊技とすると、第１抽選遊技の判定結果を第１報知として実行し、第２抽選遊技の判定結果を第２報知として実行する報知手段と、第１報知の報知時間および第２報知の報知時間を選択する報知時間選択手段と、を有し、付与判定手段は、第１報知または第２報知が実行されている場合には、実行されている第１報知または第２報知が終了した後、第１抽選遊技または第２抽選遊技を実行し、報知時間選択手段は、第１報知の報知時間として、第２報知が実行され難くなる時間を選択することを特徴としている。
＜効果＞
これによれば、第１抽選遊技が付与対応結果（当たり結果）となった場合の方が、第２抽選遊技が付与対応結果（当たり結果）となった場合より、遊技者にとって有利な結果が発生し易くされている。このため、遊技者は、第１抽選遊技で付与対応結果となることを期待しつつ遊技を実行する。そして、第１抽選遊技が第２抽選遊技より先（優先的）に実行され、第１報知の報知時間として第２報知が実行され難くなる時間が選択される。このため、第２抽選遊技が実行され難くなり、第２抽選遊技が実行されることによって遊技者に不利な結果が発生することが抑制される。したがって、遊技者の遊技に対する関心を向上できる。